(57)【要約】【課題】隅棟においても、野地板の下面側の換気をしつつ、雨水や結露の浸入を防止すること。【解決手段】相互に交差するとともに、その交差位置で隅棟を形成する複数の屋根面６１と、隅棟に設けられた棟木２０と、棟木２０の、棟木２０の長手方向に沿って所定間隔離間した位置から下方に向け、複数の屋根面６１のうち少なくとも１つの屋根面６１に沿って設けられた複数の垂木３０と、複数の垂木３０上に設けられ、相隣接する垂木３０の間の位置で、その厚さ方向に貫通する空気流通孔５１を有する野地板５０と、基端部７１が野地板５０上の、空気流通孔５１の上側に液密に固定され、先端部７２側で空気流通孔５１の上方を覆う第１のカバー部材７０とを備える。【選択図】図２
2015034447.tif 000002
【特許請求の範囲】
【請求項１】
傾斜する複数の屋根面を有する家屋の隅棟用換気構造に関し、
相互に交差するとともに、その交差位置で隅棟を形成する複数の屋根面と、
前記隅棟に設けられた棟木と、
前記棟木の、前記棟木の長手方向に沿って所定間隔離間した位置から下方に向け、前記複数の屋根面のうち少なくとも１つの屋根面に沿って設けられた複数の垂木と、
前記複数の垂木上に設けられ、相隣接する前記垂木の間の位置で、その厚さ方向に貫通する空気流通孔を有する野地板と、
基端部が前記野地板上の、前記空気流通孔の上側に液密に固定され、先端部側で前記空気流通孔の上方を覆うカバー部材とを備えることを特徴とする隅棟用換気構造。
【請求項２】
前記カバー部材は、前記基端部より前記先端部側に位置し、前記野地板から上方に離間する方向に曲折され、前記空気流通孔を覆うカバー部と、
前記カバー部の側方部から前記野地板方向に曲折して、前記カバー部と前記野地板の間に形成され、前記カバー部を支持する支持部とを備えることを特徴とする請求項１に記載の隅棟用換気構造。
【請求項３】
前記カバー部材は、前記カバー部と前記野地板の間の、前記空気流通孔より下方に配置され、前記カバー部と前記野地板との間に通気路を形成する支持部材を有することを特徴とする請求項２に記載の隅棟用換気構造。
【請求項４】
前記カバー部材は、前記空気流通孔に連通しつつ、前記空気流通孔の周囲に液密に固定された前記基端部と、
前記先端部側が前記野地板上面の、前記空気流通孔の下方側に曲折され、その内周面で前記空気流通孔を覆う筒状のカバー部材本体とを有することを特徴とする請求項１に記載の隅棟用換気構造。
【請求項５】
前記野地板の下面側の、相隣接する前記垂木の間には、前記野地板から所定間隔離間して断熱材が配置され、
前記空気流通孔は、前記野地板と前記断熱材との間の空間に連通することで、前記野地板と前記断熱材との間の空間の換気を可能にすることを特徴とする請求項１に記載の隅棟換気構造。
【発明の詳細な説明】
【技術分野】
【０００１】
本発明は、家屋の屋根裏の換気を行なう隅棟用換気構造に関し、特に簡易な構造で換気を可能とする技術に関する。
【背景技術】
【０００２】
家屋には、内部と外部との換気を行うための換気構造が必要である。このような換気構造の１つとして、家屋の屋根面同士が交差する棟部に設けられ、屋根裏と屋外との換気を可能とする棟用換気構造が知られている（例えば、特許文献１参照。）。このような構造は、例えば、棟部において、所定の開口部を空けつつ、野地板を突合せ、開口部の上に冠瓦を配置する構造である。図１４は、このような構造の一例である棟用換気構造１００を示す図である。このような棟用換気構造１００は、家屋の屋根の最も高い部分に位置する大棟部に設けられる。冠瓦１１０は、下部を開放させて取り付けられており、図１４中矢印ＹＨに示すように、冠瓦１１０と野地板１２０の間、及び、突合された野地板１２０の間を通し、家屋内の換気が行われる。
【先行技術文献】
【特許文献】
【０００３】
【特許文献１】特開２００６−３４８６０４号公報
【発明の概要】
【発明が解決しようとする課題】
【０００４】
上述した棟用換気構造では、次のような問題があった。すなわち、上述したような棟用換気構造は、家屋の大棟に配置することはできるが、下方に傾斜する構造である隅棟には配置することができない。詳述すると、隅棟は隅棟木に垂木が落とし込みで設置されている。このため、野地板と隅棟木が完全に密着してしまう。棟用換気構造を隅棟芯で設置しても、隅棟木と野地板が密着しているので、通気経路が塞がれているため、換気を行うことができない。また、隅棟は下方に傾斜しているため、台風等の際には、開放されている冠瓦の下部に雨水が吹き込む場合がある。この場合、冠瓦の下部に吹き込んだ雨水は、突き合わせた野地板間の開口部から家屋内に浸入する虞がある。
【０００５】
更に、屋根断熱構造の隅棟では、垂木間ごとに野地板と断熱材との間の通気層を排気する必要がある。しかし、垂木間ごとに換気・排気をする方法が無いため、通気層内の湿気を排出できず、野地板が結露して劣化がおきる問題があった。
【０００６】
そこで本発明は、隅棟においても、野地板の下面側の換気をしつつ、雨水や結露の浸入を防止する隅棟用換気構造を提供することを目的としている。
【課題を解決するための手段】
【０００７】
前記課題を解決し目的を達成するために、本発明の隅棟用換気構造は次のように構成されている。
【０００８】
傾斜する複数の屋根面を有する家屋の隅棟用換気構造に関し、相互に交差するとともに、その交差位置で隅棟を形成する複数の屋根面と、前記隅棟に設けられた棟木と、前記棟木の、前記棟木の長手方向に沿って所定間隔離間した位置から下方に向け、前記複数の屋根面のうち少なくとも１つの屋根面に沿って設けられた複数の垂木と、前記複数の垂木上に設けられ、相隣接する前記垂木の間の位置で、その厚さ方向に貫通する空気流通孔を有する野地板と、基端部が前記野地板上の、前記空気流通孔の上側に液密に固定され、先端部側で前記空気流通孔の上方を覆うカバー部材とを備えることを特徴とする。
【発明の効果】
【０００９】
本発明によれば、隅棟においても、野地板の下面側の換気をしつつ、雨水や結露の浸入を防止することが可能である。
【図面の簡単な説明】
【００１０】
【図１】本発明の第１の実施の形態に係る隅棟用換気構造を有する家屋を示す斜視図。
【図２】同隅棟用換気構造を一部破断して示す斜視図。
【図３】同隅棟用換気構造に化粧スレートが敷かれた状態を一部破断して示す斜視図。
【図４】同隅棟用換気構造に取り付けられる第１のカバー部材を示す斜視図。
【図５】同隅棟用換気構造を示す平面図。
【図６】同隅棟用換気構造を図５におけるＳ１−Ｓ１線で切断し、矢印方向に見た形状を示す断面図。
【図７】同隅棟用換気構造を図５におけるＳ２−Ｓ２線で切断し、矢印方向に見た形状を示す断面図。
【図８】同隅棟用換気構造を図５におけるＳ３−Ｓ３線で切断し、矢印方向に見た形状を示す断面図。
【図９】同第１のカバー部材の変形例である第２のカバー部材を示す斜視図。
【図１０】同第２のカバー部材を示す断面図。
【図１１】同隅棟用換気構造の変形例を一部破断して示す斜視図。
【図１２】同隅棟用換気構造の変形例に取り付けられた第３のカバー部材を示す斜視図。
【図１３】一般的な隅棟構造を比較例として示す断面図。
【図１４】一般的な棟用換気構造を示す断面図。
【発明を実施するための形態】
【００１１】
図１は本発明の第１の実施の形態に係る隅棟用換気構造１０を有する家屋１を示す斜視図、図２は隅棟用換気構造１０を一部破断して示す斜視図、図３は隅棟用換気構造１０に屋根材６０が敷かれた状態を一部破断して示す斜視図、図４は隅棟用換気構造１０に取り付けられる第１のカバー部材７０を示す斜視図、図５は隅棟用換気構造１０を示す平面図、図６は隅棟用換気構造１０を図５におけるＳ１−Ｓ１線で切断し、矢印方向に見た形状を示す断面図、図７は隅棟用換気構造１０を図５におけるＳ２−Ｓ２線で切断し、矢印方向に見た形状を示す断面図、図８は隅棟用換気構造１０を図５におけるＳ３−Ｓ３線で切断し、矢印方向に見た形状を示す断面図である。なお、図３に示す屋根部３は、コロニアル・スタイルの屋根である。
【００１２】
図１に示すように、家屋１は、地面に建てられた居住部２と、この居住部２の上部に設けられた屋根部３を有している。この屋根部３は隅棟用換気構造１０を有している。隅棟用換気構造１０は、棟木２０と、この棟木２０に取り付けられた複数の垂木３０と、棟木２０及び垂木３０の上面に固定され、空気流通孔５１が形成された野地板５０と、野地板５０上の空気流通孔５１の上部に取り付けられたカバー部材７０と、野地板５０の上面に固定された屋根材６０とを備えている。屋根材６０の表面には、屋根面６１が形成されている。
【００１３】
棟木２０は、例えば一辺が１５ｃｍの角材であり、図２に示すように、屋根部３の骨組を形成している。棟木２０は、居住部２の上端から上方に傾斜して配置された隅棟材２１と、隅棟材２１の上端に、水平方向に沿って固定された大棟材２２とで形成されている。大棟材２２は、屋根部３の最も高い位置である大棟に位置し、隅棟材２１は、大棟の端部から下方に傾斜する隅棟に位置している。なお、屋根部３の大棟の位置には、棟用換気構造が形成されている。
【００１４】
隅棟材２１には、複数の垂木３０が取り付けられている。それぞれの垂木３０の上端部は、隅棟材２１の長手方向に沿って所定間隔（例えば、３０〜６０ｃｍ）の位置に固定されている。垂木３０は隅棟材２１から、下方に傾斜して設けられている。隅棟材２１と垂木３０とは、隅棟材２１に設けられた切欠き２３に垂木３０を嵌め合わせる方法で固定されている（図６参照）。垂木３０同士は、互いに平行であり、また、互いに隣り合う垂木３０の間には、例えば断熱材４０が配置されている。断熱材４０は、野地板５０から所定間隔離間して配置されている。断熱材４０と野地板５０との間には、通気層４１が形成されている。大棟材２２にも、その長手方向に沿って所定間隔離間した位置に、垂木３０が固定されている。
【００１５】
大棟材２２、隅棟材２１、及び、垂木３０の上面には、野地板５０が取り付けられている。野地板５０の、相互に隣り合う垂木３０の間の位置には、野地板５０の厚さ方向に貫通し、通気層４１と連通する空気流通孔５１が設けられている。なお、各垂木３０間に断熱材４０が配置されている場合、断熱材４０と野地板５０の間は通気を取らなければ野地板５０が結露してしまう。このため、空気を野地板の外側に排気するために、各垂木３０間ごとに、空気流通孔５１が設けられている。
【００１６】
野地板５０の上面には、図３に示すように、化粧スレート６２が複数配置されている。屋根面６１は、化粧スレート６２の上面で形成されている。屋根面６１の端部上側には、隅棟材２１に沿って冠瓦６３が配置されている。冠瓦６３は、一対の貫材６４を介して屋根面６１に取り付けられている（図６参照）。
【００１７】
野地板５０上の、空気流通孔５１の上側には、図２、図４に示すように、第１のカバー部材７０が設けられている。カバー部材７０は、空気流通孔５１への水滴の浸入を防止しつつ、野地板５０の下面側と家屋１の外部との通気を可能にする空気流通案内部材である。なお、図３においては、空気流通孔５１の位置を示すため、第１のカバー部材７０は省略している。第１のカバー部材７０の基端部７１は、空気流通孔５１の上方に液密に取り付けられている。
【００１８】
図４に示すように、第１のカバー部材７０の、基端部７１より先端部７２側は、野地板５０から離間する方向に曲折され、空気流通孔５１を覆うカバー板７３が形成されている。カバー板７３と野地板５０との間の角度は、例えば５〜１０度程度である。また、コロニアル・スタイルの屋根部３では、野地板５０と化粧スレート６２の隙間は、化粧スレート６２の厚み以下になっている。第１のカバー部材７０は野地板５０と化粧スレート６２の間に納まる必要がある。このため、第１のカバー部材７０の高さは、化粧スレート６２の厚み以下に形成されている。
【００１９】
カバー板７３の左方及び右方からは、野地板５０側に曲折し、支持板部（支持部）７４が形成されている。支持板部７４は、カバー板７３を支持することで、カバー板７３と野地板５０との間に通気路を形成している。支持板部７４とカバー板７３との間の角度は、例えば９０度である。支持板部７４はカバー板７３と野地板５０の間に位置しており、カバー板７３を、野地板５０から離間した状態で支持している。これにより、化粧スレート６２がカバー板７３を潰したり、空気流通孔５１を塞いだりすることを防止する。
【００２０】
上述したように構成された隅棟用換気構造１０は、以下に示すようにして、家屋１の内部と外部の換気を行う。
【００２１】
家屋１内の空気は、図５中矢印Ｙ１に示すように家屋１外に流れる。詳述すると、図６中矢印Ｙ２に示すように、空気流通孔５１から野地板５０の上面側に抜けた後、野地板５０と化粧スレート６２との間を隅棟材２１側に流れる。隅棟材２１の位置に達した空気は、図７中矢印Ｙ３に示すように、冠瓦６３の中心部内を隅棟材２１に沿って、一対の貫材６４の間を流れる。この後、図８中矢印Ｙ４に示すように、空気は冠瓦６３と化粧スレート６２の間を通り、化粧スレート６２の上面に流れる。すなわち、一般的な隅棟構造では換気を行うことはできなかったが（図１３中矢印ＹＫ参照）、隅棟用換気構造１０により、隅棟においても換気が可能となる。
【００２２】
また、隅棟用換気構造１０は、以下に示すように、空気流通孔５１の防水も可能である。
【００２３】
例えば結露により、化粧スレート６２の下面や野地板５０の上面に発生した水滴は、野地板５０の上面に沿って、下方に向かって流れる。これらの水滴のうち、空気流通孔５１に向かって流れる水滴は、第１のカバー部材７０の基端部７１に達すると、この基端部７１の上面に案内される。この際、基端部７１と野地板５０との間は液密であるため、水滴が第１のカバー部材７０の下面側に浸入することはない。
【００２４】
第１のカバー部材７０の上面を流れる水滴は、第１のカバー部材７０の先端部７２に達すると、野地板５０上の、空気流通孔５１より下方側に滴下する。この後、水滴は野地板５０上を下方に向かって流れるため、空気流通孔５１に浸入することは無い。
【００２５】
上述したように、本実施の形態に係る隅棟用換気構造１０によれば、野地板５０に空気流通孔５１を設けることで、野地板５０の下面側の換気を可能にしている。更に、空気流通孔５１の上部に第１のカバー部材７０を設けることで、化粧スレート６２により空気流通孔５１が塞がれることを防止しつつ、空気流通孔５１に結露等の水滴が浸入することを防止できる。
【００２６】
上述したように、本発明によれば、隅棟においても、野地板の下面側の換気をしつつ、雨水や結露の浸入を防止することが可能である。
【００２７】
図９は第１のカバー部材７０の変形例である第２のカバー部材８０を示す斜視図、図１０は第２のカバー部材８０を示す断面図である。
【００２８】
第２のカバー部材８０は、第１のカバー部材７０に代わり、隅棟用換気構造１０に取り付けることが可能である。
【００２９】
第２のカバー部材８０は、例えば樹脂材製であり、図９に示すように、空気流通孔５１の上方に取り付けられる基端部８１と、この基端部８１より先端部８２側で、空気流通孔５１を覆うカバー板８３と、カバー板８３を支持する支持板部８４とを有している。第２のカバー部材８０は更に、カバー板８３と野地板５０との間に通気部材８５を有している。
【００３０】
通気部材８５は、例えばシングルコーン構造である。通気部材８５は、空気流通孔５１の下方側の、野地板５０とカバー板８３との間に配置された複数の支持部材８６を有している。支持部材８６は、カバー板８３を支持することで、野地板５０とカバー板８３の間に通気路を形成している。第２のカバー部材８０は、通気部材８５を設けることで、第１のカバー部材７０より更に潰れにくくなるとともに、支持部材８６による防水を計ることも可能である。なお、通気部材８５は、プラダン構造であってもよい。
【００３１】
このように形成された第２のカバー部材８０によれば、第１のカバー部材７０を用いる場合と同様の効果を得ることが可能である。更に、通気部材８５により、潰れにくく、更なる強度を得ることが可能である。
【００３２】
上述したように、本発明によれば、隅棟においても、野地板の下面側の換気をしつつ、雨水や結露の浸入を防止することが可能である。
【００３３】
図１１は、上述した隅棟用換気構造１０の変形例である隅棟用換気構造９０を示す斜視図、図１２は隅棟用換気構造９０を示す斜視図である。
【００３４】
図１１に示すように、隅棟用換気構造９０には、隅棟用換気構造１０における化粧スレート６２に代わり、粘土瓦９１が設けられ、第１のカバー部材７０に代わり、第３のカバー部材９３が設けられている。粘土瓦９１は、瓦桟木９２を介して野地板５０に固定されている。なお、第３のカバー部材９３の野地板５０からの高さは、野地板５０に固定された粘土瓦９１に干渉しない高さに設定されている。
【００３５】
第３のカバー部材９３は、図１２に示すように、筒状部材を曲折した形状を有している。第３のカバー部材９３は、筒状のカバー部材本体９４を有している。カバー部材本体９４の基端部９５は、空気流通孔５１の周囲に液密に固定されている。カバー部材本体９４の先端側９６は、野地板７０上面の下方側に９０度曲折されている。第３のカバー部材９３は、その内周面で空気流通孔５１を覆っている。
【００３６】
第３のカバー部材９３は、空気流通孔５１の周囲に液密に固定されている。このため、第１のカバー部材７０よりも高い防水性を有している。一方、筒状部材を曲折させた形状であるため、第１のカバー部材７０よりも高さが大である。
【００３７】
隅棟用換気構造９０では、粘土瓦９１を、瓦桟木９２を介して野地板５０に固定している。このため、粘土瓦９１と野地板５０の間の隙間が、上述した隅棟用換気構造１０における化粧スレート６２と野地板５０の間の隙間より大であり、第３のカバー部材９３を配置することが可能である。
【００３８】
本変形例に係る隅棟用換気構造９０によれば、上述した隅棟用換気構造１０と同様の効果を得ることが可能である。更に、隅棟用換気構造９０は、第３のカバー部材９３で空気流通孔５１を覆うことで、更に高い防水性を得ることが可能である。
【００３９】
上述したように、本発明によれば、隅棟においても、野地板の下面側の換気をしつつ、雨水や結露の浸入を防止することが可能である。
【００４０】
なお、本発明は上記実施の形態に限定されるものではない。例えば、上述した例では第１のカバー部材を板金で形成しているが、これを樹脂製とする場合であっても、同様に適用できる。また、上述した例では、１つの屋根面の野地板に空気流通孔が形成されている場合について説明したが、他の屋根面の野地板にも空気流通孔が設けられている場合であっても、同様に適用できる。この他、本発明の要旨を逸脱しない範囲で種々変形実施可能であるのは勿論である。
【符号の説明】
【００４１】
１…家屋、２…居住部、３…屋根部、１０，９０…隅棟用換気構造、２０…棟木、２１…隅棟木、２２…大棟木、２３…切欠き、３０…垂木、４０…断熱材、５０…野地板、５１…空気流通孔、６０…屋根材、６１…屋根面、６２…化粧スレート、６３…冠瓦、７０…第１のカバー部材、７１，８１，９５…基端部、７２，８２，９６…先端部、７３，８３…カバー板、７４，８４…支持板部、８０…第２のカバー部材、８５…通気部材、８６…支持部材、９１…粘土瓦、９２…瓦桟木、９３…第３のカバー部材、９４…カバー部材本体。
【図１】
2015034447.tif 000003
【図２】
2015034447.tif 000004
【図３】
2015034447.tif 000005
【図４】
2015034447.tif 000006
【図５】
2015034447.tif 000007
【図６】
2015034447.tif 000008
【図７】
2015034447.tif 000009
【図８】
2015034447.tif 000010
【図９】
2015034447.tif 000011
【図１０】
2015034447.tif 000012
【図１１】
2015034447.tif 000013
【図１２】
2015034447.tif 000014
【図１３】
2015034447.tif 000015
【図１４】
2015034447.tif 000016